(57)【要約】【課題】  本発明は身体の痛みを生じている部分にサポーターを装着し、通常の生活をしているだけで、その痛みを短時間に容易に除去できるとともに、安価に製造することができるサポーターを得るにある。【解決手段】サポーター本体と、このサポーター本体の内側面を覆うように取付けられた格子あるいはハニカム形状の伸縮自在の刺激付与網体とでサポーターを構成している。【選択図】  図１
2006116252.tif 000002
【特許請求の範囲】
【請求項１】
サポーター本体と、このサポーター本体の内側面を覆うように取付けられた格子あるいはハニカム形状の伸縮自在の刺激付与網体とからなることを特徴とするサポーター。
【請求項２】
円筒形状の伸縮可能な素材で形成されたサポーター本体と、このサポーター本体の内側面を覆うように、サポーター本体の上端部および下端部で取付けられた格子あるいはハニカム形状の伸縮自在の刺激付与網体とからなることを特徴とするサポーター。
【請求項３】
身体の痛む部分に巻き付けることができる伸縮可能な素材で形成されたサポーター本体と、このサポーター本体の内側面に取付けられた格子あるいはハニカム形状の伸縮自在の刺激付与網体と、前記サポーター本体の両端部寄りの部位に取付けられた身体の痛む部位に巻き付けた状態を保つ係止具とからなることを特徴とするサポーター。
【請求項４】
身体の痛む部分を覆うように取付けることができる伸縮可能な素材で形成されたサポーター本体と、このサポーター本体の内側面に設けられた所定間隔あるいは所定間隔のライン状あるいは格子状の刺激付与突片とからなることを特徴とするサポーター。
【発明の詳細な説明】
【技術分野】
【０００１】
本発明は身体の痛む部位に装着して、痛みの除去を図ることができるサポーターに関する。
【背景技術】
【０００２】
従来のサポーターは伸縮自在のカバー体のみからなっている。
【０００３】
このため、サポーターを使用しても痛めている関節部分や筋肉をカバーして保護するだけで、痛みの除去という面からみた効果がないという欠点があった。
【特許文献１】特になし
【発明の開示】
【発明が解決しようとする課題】
【０００４】
本発明は以上のような従来の欠点に鑑み、身体の痛む部位にサポーターを装着し通常の生活をしているだけで、サポーターの伸縮により内側面に取付けられている伸縮自在の刺激付与網体が身体の痛む部位に適度な刺激を与え、痛みを短時間に除去できるとともに、安価に製造することができるサポーターを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はサポーター本体と、このサポーター本体の内側面を覆うように取付けられた格子あるいはハニカム形状の伸縮自在の刺激付与網体とでサポーターを構成している。
【発明の効果】
【０００７】
以下の説明から明らかなように、本発明にあっては次に列挙する効果が得られる。
【０００８】
（１）サポーター本体と、このサポーター本体の内側面を覆うように取付けられた格子あるいはハニカム形状の伸縮自在の刺激付与網体とで構成されているので、身体の痛む部位に格子あるいはハニカム形状の刺激付与網体が当接するように装着することによって、該刺激付与網体が痛む部位を適度に刺激して身体の痛みを短時間に除去できる。
【０００９】
（２）前記（１）によって、格子あるいはハニカム形状の伸縮自在の刺激付与網体がサポーター本体の内側面を覆って取付けられているだけで、構造が簡単なので、身体の痛む部分に簡単に装着できる。
したがって、いつでもどこでも容易に身体の痛みを除去できる。
【００１０】
（３）前記（２）によって、格子あるいはハニカム形状の伸縮自在の刺激付与網体がサポーター本体の内側面を覆って取付けられているだけで、構造が簡単なので、製造が容易で、安価に製造することができる。
【００１１】
（４）請求項２は前記（１）〜（３）と同様な効果が得られるとともに、円筒形状で身体の痛む部分にサポーターをそのまま通して装着するだけで済むので、特に装着が簡単である。
【００１２】
（５）請求項３も前記（１）〜（３）と同様な効果が得られる。
【００１３】
（６）身体の痛む部分を覆うように取付けることができる伸縮可能な素材で形成されたサポーター本体と、このサポーター本体の内側面に設けられた所定間隔あるいは所定間隔のライン状あるいは格子状の刺激付与突片とで構成されているので、サポーター本体の内側面に設けられた刺激付与突片で、痛む部位を適度に刺激して身体の痛みを短時間に除去することができるとともに、サポーター本体の内側面に刺激付与突片を設けているので、刺激付与突片が移動したりすることなく、効率よく痛む部位に位置させることができる。
【発明を実施するための最良の形態】
【００１４】
以下、図面に示す本発明を実施するための最良の形態により、本発明を詳細に説明する。
【００１５】
図１ないし図５に示す本発明を実施するための最良の第１の形態において、１は手首や足首、大腿などの身体の痛む部分、本発明の実施の形態においては手首に装着して痛みを除去するためのサポーターであり、このサポーター１はサポーター本体２と、このサポーター本体２の内側面２ａに取付けられている伸縮自在の網状の刺激付与網体３とで構成されている。
【００１６】
前記サポーター本体２は伸縮可能な繊維素材を使用して円筒形状に編んで形成されたサポーター体４と、このサポーター体４が装着された身体の部分からずれるのを防止するために、前記サポーター体４の上端部４ａ寄りおよび下端部４ｂ寄りの部位の外側面ほぼ全周に、接着剤で貼着あるいは伸縮自在な糸で縫着など、本発明の実施の形態では前記サポーター体４の伸縮を阻害しない柔軟な接着剤を使用し、貼着して取付けられている平織ゴム５、５とで構成されている。
【００１７】
前記網状の刺激付与網体３は、繊維素材を使用してサポーター本体２の伸縮に合わせて縦横に伸縮しやすいように斜め格子に形成されており、図３に示すように上下両端部をサポーター体４の上端部４ａ寄りおよび下端部４ｂ寄りの部位で折り返し、サポーター体４の外側面でサポーター体４と平織ゴム５、５との間に挟まるようにして、サポーター本体２に取付けられている。
【００１８】
前記サポーター１の流通時、保管時などには、図４に示すように内外反転され、
使用時に内側面を覆うように取付けられている刺激付与網体３が外側に向いた状態で、厚紙、薄板などでできているサポーター１の形状を平面的に保持するための芯材６がサポーター本体２の中に挿入された状態になっている。
【００１９】
前記サポーター１を使用する時には、流通時、保管時などの状態から、内外反転させて刺激付与網体３を内側に向けた使用時本来の姿にした後、サポーター１を拡張させながら、図５に示すように痛みを生じている手首７をカバーするように装着する。伸縮可能なサポーター１は、サポーター本体２の復元力により収縮して装着した部位をほど良い力で圧迫し、日常生活行動の中で身体の動きに合わせて伸縮するサポーター本体２の内側面２ａに取付けられた伸縮自在の刺激付与網体３が痛む部位を適度に刺激し、痛みを除去させる。
［発明を実施するための異なる形態］
【００２０】
次に、図６ないし図３１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図６および図７に示す本発明を実施するための第２の形態において、前記本発明を実施するための最良の第１の形態と主に異なる点は、繊維素材で形成された伸縮自在な各交点が結び目を形成している斜め格子の刺激付与網体３Ａを使用している点で、このように構成したサポーター１Ａにしても、刺激付与網体３Ａの結び目３ａが身体の痛む部分に刺激を与え、前記本発明を実施するための最良の第１の形態と同様な作用効果が得られる。
【００２２】
図８および図９に示す本発明を実施するための第３の形態において、前記本発明を実施するための最良の第１の形態と主に異なる点は、繊維素材で形成された縦横に伸縮自在なハニカム形状の刺激付与網体３Ｂを使用している点で、このように構成したサポーター１Ｂにしても、前記本発明を実施するための最良の第１の形態と同様な作用効果が得られる。
【００２３】
図１０ないし図１３に示す本発明を実施するための第４の形態において、前記本発明を実施するための最良の第１の形態と主に異なる点は、身体の痛む部分に巻き付けることができる平面形状をしたサポーター体４Ａからなるサポーター本体２Ａと、このサポーター本体２Ａの内側面２ｂにサポーター本体２Ａの周辺部で取付けられた、繊維素材で平面形状に形成され、縦横に伸縮自在の斜め格子の刺激付与網体３Ｃと、前記サポーター本体２Ａの両端部寄りの部位に取付けられた、身体の痛む部位にサポーター１Ｃを巻き付けた状態を保つ係止具としての面ファスナー８とで構成されている点で、このように構成したサポーター１Ｃにしても、前記本発明を実施するための最良の第１の形態と同様な作用効果が得られる。
【００２４】
本発明を実施するための形態のサポーター１Ｃは、面ファスナー８の係止状態を深めにも浅目にも微調整できるので、サポーター１Ｃが身体の痛む部分を圧迫する強さを調整でき、刺激付与網体３Ｃが身体の痛む部位を刺激する強さをほど良い状態に調整することができる。
【００２５】
なお、本発明を実施するための形態では身体の痛む部位にサポーター１Ｃを巻き付けた状態を保つ係止具として面ファスナーを使用したが、このほかにホック、ボタンなどを使用しても良い。
また、本発明を実施するため形態では平面形状で斜め格子の刺激付与網体３Ｃを使用したが、これに限らず、前記本発明を実施するための第２および第３の形態で使用している格子形状の刺激付与網体３Ａ、ハニカム形状の刺激付与網体３Ｂを平面形状にして使用しても良い。
【００２６】
図１４ないし図１７に示す本発明を実施するための第５の形態において、前記本発明を実施するための第４の形態と主に異なる点は、膝９や肘などの関節、本発明の実施の形態では膝９の周囲の痛みに対応できるように、サポーター体４Ｂの中央部に丸形状の開口１０、両端部中央付近にＵ字状切欠き１１、１１を設けたサポーター本体２Ｂと、Ｕ字状切欠き１１、１１の上部および下部に２分割した面ファスナー８Ａ、８Ａを用い、前記サポーター本体２Ｂの内側面２ｃの形状に合わせた刺激付与網体３Ｄを用いた点である。
図１７に示すとおり、前記丸形状の開口１０は膝９の中央部分が無理なく納まり、サポーター１Ｄが装着しやすようにしたものであり、前記Ｕ字状切欠き１１、１１は膝の関節の動きにサポーター１Ｄが柔軟に追随して、変形できるようにしたものである。
このように構成したサポーター１Ｄにしても、膝９の動きに柔軟に対応し、前記本発明を実施するための第４の形態と同様な作用効果が得られる。
【００２７】
図１８および図１９に示す本発明を実施するための第６の形態において、前記本発明を実施するための最良の第１の形態と主に異なる点は、肩１２の部分に装着しやすい形状をしたサポーター体４Ｃからなるサポーター本体２Ｃと、このサポーター本体２Ｃの内側面２ｄに取付けた、肩１２の周囲の部分のみ合わせて形成した刺激付与網体３Ｅを使用している点で、このように構成したサポーター１Ｅにしても、前記本発明を実施するための最良の第１の形態と同様な効果が得られる。
【００２８】
なお、本発明では刺激付与網体３Ｅを肩１２の周囲の部分にのみ合わせて形成したが、サポーター本体２Ｃの内側面２ｄ全体を覆っても良い。
また、本発明では肩１２の部分に装着しやすい形状をしたサポーター１Ｅについて説明したが、本発明はこれに限らず、サポーターの形状を足の関節部分、手のひらなど身体のほかの部分に合わせて作製しても良い。
【００２９】
図２０ないし図２２に示す本発明を実施するための第７の形態において、前記本発明を実施するための最良の第１の形態と主に異なる点は、サポーター本体２の内側面に刺激付与突片として、先端部が該内側面より突出するように円錐状の突起１３を所定間隔で多数個接着、溶着等によって固定した点で、このように構成したサポーター１Ｆにしても、前記本発明を実施するための最良の第１の形態と同様な作用効果が得られる。
なお、本発明を実施するための形態では、円錐状の突起１３の材質はゴム、合成樹脂材、金属材等どんな材質のものであっても良い。
また、円錐状の突起１３に代え、円柱、多角錘、多角柱、球、半球、半楕円形状等であっても良い。
【００３０】
図２３ないし図２５に示す本発明を実施するための第８の形態において、前記本発明を実施するための第７の形態と主に異なる点は、刺激付与突片として伸縮可能なゴム材をバー状に形成したバー部材１４を所定間隔でサポーター本体２の内側面に接着、溶着、縫着等によって固定した点で、このように構成したサポーター１Ｇにしても、前記本発明を実施するための第７の形態と同様な作用効果が得られる。
【００３１】
図２６ないし図２８に示す本発明を実施するための第９の形態において、前記本発明を実施するための第７の形態と主に異なる点は、刺激付与突片として伸縮可能なゴム材を格子状に形成した格子部材１５をサポーター本体２の内側面に接着、溶着、縫着等によって固定した点で、このように構成したサポーター１Ｈにしても、前記本発明を実施するための第７の形態と同様な作用効果が得られる。
【００３２】
図２９ないし図３１に示す本発明を実施するための第１０の形態において、前記本発明を実施するための第７の形態と主に異なる点は、刺激付与突片として、糸の結び目１６を用いた点で、このように構成したサポーター１Ｉにしても、前記本発明を実施するための第７の形態と同様な作用効果が得られる。
【産業上の利用可能性】
【００３３】
本発明はサポーターを製造する産業で利用される。
【図面の簡単な説明】
【００３４】
【図１】本発明を実施するための最良の第１の形態の正面図。
【図２】本発明を実施するための最良の第１の形態の平面図。
【図３】図１の３−３線に沿う部分拡大断面図。
【図４】本発明を実施するための最良の第１の形態の流通時の正面図。
【図５】本発明を実施するための最良の第１の形態の使用状態の説明図。
【図６】本発明を実施するための第２の形態の正面図。
【図７】本発明を実施するための第２の形態の内外反転した場合の正面図。
【図８】本発明を実施するための第３の形態の正面図。
【図９】本発明を実施するための第３の形態の内外反転した場合の正面図。
【図１０】本発明を実施するための第４の形態の正面図。
【図１１】本発明を実施するための第４の形態の平面図。
【図１２】本発明を実施するための第４の形態の内側面を広げた状態の説明図。
【図１３】本発明を実施するための第４の実施の形態の使用状態の説明図。
【図１４】本発明を実施するための第５の形態の正面図。
【図１５】本発明を実施するための第５の形態の平面図
【図１６】本発明を実施するための第５の形態の背面図。
【図１７】本発明を実施するための第５の実施の形態の使用状態の説明図。
【図１８】本発明を実施するための第６の形態の正面図。
【図１９】本発明を実施するための第６の形態の使用状態の説明図。
【図２０】本発明を実施するための第７の形態の正面図。
【図２１】本発明を実施するための第７の形態の平面図。
【図２２】図２０の２２−２２線に沿う部分拡大断面図。
【図２３】本発明を実施するための第８の形態の正面図。
【図２４】本発明を実施するための第８の形態の平面図。
【図２５】図２３の２５−２５線に沿う部分拡大断面図。
【図２６】本発明を実施するための第９の形態の正面図。
【図２７】本発明を実施するための第９の形態の平面図。
【図２８】図２６の２８−２８線に沿う部分拡大断面図。
【図２９】本発明を実施するための第１０の形態の正面図。
【図３０】本発明を実施するための第１０の形態の平面図。
【図３１】図２９の３１−３１線に沿う部分拡大断面図。
【符号の説明】
【００３５】
１、１Ａ〜１Ｉ：サポーター、        
２、２Ａ、２Ｂ、２Ｃ：サポーター本体
３、３Ａ、３Ｃ、３Ｄ、３Ｅ：刺激付与網体、
４、４Ａ、４Ｂ、４Ｃ：サポーター体、
５、平織ゴム、                      ６：芯材、
７：手首、                          ８、８Ａ：面ファスナー、
９：膝、                            １０：開口、
１１：Ｕ字状切欠き、                １２：肩、
１３：刺激付与突片としての円錐状の突起、
１４：刺激付与突片としてのバー部材、
１５：刺激付与突片としての格子部材、
１６：刺激付与突片としての糸の結び目。
【図１】
2006116252.tif 000003
【図２】
2006116252.tif 000004
【図３】
2006116252.tif 000005
【図４】
2006116252.tif 000006
【図５】
2006116252.tif 000007
【図６】
2006116252.tif 000008
【図７】
2006116252.tif 000009
【図８】
2006116252.tif 000010
【図９】
2006116252.tif 000011
【図１０】
2006116252.tif 000012
【図１１】
2006116252.tif 000013
【図１２】
2006116252.tif 000014
【図１３】
2006116252.tif 000015
【図１４】
2006116252.tif 000016
【図１５】
2006116252.tif 000017
【図１６】
2006116252.tif 000018
【図１７】
2006116252.tif 000019
【図１８】
2006116252.tif 000020
【図１９】
2006116252.tif 000021
【図２０】
2006116252.tif 000022
【図２１】
2006116252.tif 000023
【図２２】
2006116252.tif 000024
【図２３】
2006116252.tif 000025
【図２４】
2006116252.tif 000026
【図２５】
2006116252.tif 000027
【図２６】
2006116252.tif 000028
【図２７】
2006116252.tif 000029
【図２８】
2006116252.tif 000030
【図２９】
2006116252.tif 000031
【図３０】
2006116252.tif 000032
【図３１】
2006116252.tif 000033